(57)【要約】【課題】１人の利用者が専用に利用する端末の数が増えた場合でも、その利用者の利用する各端末に対する接続制限の設定を容易にするができる管理装置、管理方法、及び管理プログラムを提供する。【解決手段】端末３Ｇは、使用者の操作に応じて、端末３の利用者単位でのグループの識別情報Ｇ１，Ｇ２を生成しＲＯＭ４１に記憶する。更に、端末３Ｇは、使用者から指定された識別情報Ｇ１に対し、使用者から指定された端末情報Ｔ１〜Ｔ３を対応付けて記憶する。端末３Ｇは、識別情報Ｇ１に対して接続制限の設定を行う要求がなされると、識別情報Ｇ１に対応している端末情報Ｔ１〜Ｔ３の各々に接続制限の第一の設定情報Ｌ１を対応付けて記憶する。端末３Ｇは、端末情報Ｔ１〜Ｔ３の各々と、これに対応する第一の設定情報Ｌ１とからなる接続管理情報を中継装置２に送信する。中継装置２は、この接続管理情報に基づいて端末３に対するネットワーク１への接続制限を実行する。【選択図】図５
2020053902.tif 000002
【特許請求の範囲】
【請求項１】
ネットワークと端末との通信を中継する中継装置が行う前記端末に対する前記ネットワークへの接続制限、を管理するための管理装置であって、
前記端末の利用者単位でのグループの識別情報を生成するグループ識別情報生成部と、
前記中継装置に接続された前記端末の端末情報を取得し、前記管理装置の使用者により指定された前記識別情報と、前記使用者により指定された前記端末情報とを対応付けるグループ対応付け処理部と、
前記使用者により指定された前記識別情報に対する前記接続制限の設定の第一の要求を受け入れると、当該識別情報に対応付けられている前記端末情報に対し、前記接続制限の第一の設定情報を対応付ける第一の接続制限設定部と、
前記第一の設定情報と当該第一の設定情報が対応付けられた前記端末情報を前記中継装置に送信し、当該端末情報で特定される前記端末に対する当該第一の設定情報に基づく前記ネットワークへの接続制限を前記中継装置に実行させる接続制限実行制御部と、を備える管理装置。
【請求項２】
請求項１記載の管理装置であって、
前記使用者により指定された前記端末情報に対する前記接続制限の設定の第二の要求を受け入れると、当該端末情報に対し、前記接続制限の第二の設定情報を対応付ける第二の接続制限設定部を更に備え、
前記接続制限実行制御部は、前記第二の設定情報と当該第二の設定情報が対応付けられた前記端末情報を前記中継装置に送信し、当該端末情報で特定される前記端末に対し、当該第二の設定情報に基づく前記ネットワークへの接続制限を実行させる管理装置。
【請求項３】
請求項２記載の管理装置であって、
前記第二の接続制限設定部は、前記使用者により指定された前記端末情報に前記第一の設定情報が対応付けられている場合には、当該端末情報と当該第一の設定情報との対応付けを解除する管理装置。
【請求項４】
請求項２又は３記載の管理装置であって、
前記第一の接続制限設定部は、前記使用者により指定された前記識別情報に対応する前記端末情報のうち、前記第二の設定情報が対応付けられている前記端末情報以外のものに、前記第一の設定情報を対応付ける管理装置。
【請求項５】
請求項２又は３記載の管理装置であって、
前記第一の接続制限設定部は、前記使用者により指定された前記識別情報に対応する前記端末情報の中に、前記第二の設定情報が対応付けられている前記端末情報が存在する場合には、当該端末情報の存在を報知する管理装置。
【請求項６】
請求項２から５のいずれか１項記載の管理装置であって、
前記グループ対応付け処理部は、前記グループの前記識別情報が対応付けられている前記端末情報に対する当該グループの変更の要求を受け入れると、当該端末情報と当該識別情報との対応付けを解除し、要求された変更先の前記グループの識別情報に、当該端末情報を対応付ける管理装置。
【請求項７】
請求項６記載の管理装置であって、
前記端末の名称の入力を受け付けて当該端末の端末情報に当該名称の情報を含めて登録する名称登録部を有し、
前記グループ対応付け処理部は、前記変更先の前記グループの前記識別情報に、前記端末情報を対応付ける場合に、当該端末情報に含まれる前記名称を当該識別情報に基づいて変更する管理装置。
【請求項８】
請求項２から７のいずれか１項記載の管理装置であって、
前記識別情報と前記端末情報とを対応付けた情報と、前記端末情報と前記第一の設定情報又は前記第二の設定情報とを対応付けた情報を含む管理情報を記憶する記憶部を更に備える管理装置。
【請求項９】
請求項２から７のいずれか１項記載の管理装置であって、
前記識別情報と前記端末情報とを対応付けた情報と、前記端末情報と前記第一の設定情報又は前記第二の設定情報とを対応付けた情報を含む管理情報を、前記中継装置に記憶させる管理装置。
【請求項１０】
請求項２から７のいずれか１項記載の管理装置であって、
前記識別情報と前記端末情報とを対応付けた情報と、前記端末情報と前記第一の設定情報又は前記第二の設定情報とを対応付けた情報を含む管理情報は、前記管理装置からネットワークを介してアクセス可能な装置に記憶される管理装置。
【請求項１１】
ネットワークと端末との通信を中継する中継装置が行う前記端末に対する前記ネットワークへの接続制限、を管理するための管理方法であって、
前記端末の利用者単位でのグループの識別情報を生成するグループ識別情報生成ステップと、
前記中継装置に接続された前記端末の端末情報を取得し、前記管理装置の使用者により指定された前記識別情報と、前記使用者により指定された前記端末情報とを対応付けるグループ対応付け処理ステップと、
前記使用者により指定された前記識別情報に対する前記接続制限の設定の第一の要求を受け入れると、当該識別情報に対応付けられている前記端末情報に対し、前記接続制限の第一の設定情報を対応付ける第一の接続制限設定ステップと、
前記第一の設定情報と当該第一の設定情報が対応付けられた前記端末情報を前記中継装置に送信し、当該端末情報で特定される前記端末に対する当該第一の設定情報に基づく前記ネットワークへの接続制限を前記中継装置に実行させる接続制限実行制御ステップと、を備える管理方法。
【請求項１２】
ネットワークと端末との通信を中継する中継装置が行う前記端末に対する前記ネットワークへの接続制限、を管理するための管理プログラムであって、
前記端末の利用者単位でのグループの識別情報を生成するグループ識別情報生成ステップと、
前記中継装置に接続された前記端末の端末情報を取得し、前記管理装置の使用者により指定された前記識別情報と、前記使用者により指定された前記端末情報とを対応付けるグループ対応付け処理ステップと、
前記使用者により指定された前記識別情報に対する前記接続制限の設定の第一の要求を受け入れると、当該識別情報に対応付けられている前記端末情報に対し、前記接続制限の第一の設定情報を対応付ける第一の接続制限設定ステップと、
前記第一の設定情報と当該第一の設定情報が対応付けられた前記端末情報を前記中継装置に送信し、当該端末情報で特定される前記端末に対する当該第一の設定情報に基づく前記ネットワークへの接続制限を前記中継装置に実行させる接続制限実行制御ステップと、をコンピュータに実行させるための管理プログラム。
【発明の詳細な説明】
【技術分野】
【０００１】
本発明は、管理装置、管理方法、管理プログラムに関する。
【背景技術】
【０００２】
インターネット等のネットワークと端末との間の通信を中継するルータ等の中継装置には、例えば子供がインターネットにアクセスする時間を制限することを目的として、端末に対するネットワークへの接続制限を行う機能を持つものがある。
【０００３】
特許文献１には、アクセスポイントに接続される端末の接続管理（ＱｏＳ要求管理）を、ＶＬＡＮ（Ｖｉｒｔｕａｌ  Ｌｏｃａｌ  Ａｒｅａ  Ｎｅｔｗｏｒｋ）等を用いたグループ単位（プロバイダ単位や部門単位）又はＭＡＣ（Ｍｅｄｉａ  Ａｃｃｅｓｓ  Ｃｏｎｔｒｏｌ）アドレス等を用いたユーザ単位（端末ＩＤ単位）にて、アクセスポイント外部のポリシー制御装置によって行う点が記載されている。
【先行技術文献】
【特許文献】
【０００４】
【特許文献１】特開２００６−３０４０８３号公報
【発明の概要】
【発明が解決しようとする課題】
【０００５】
例えば、家庭内に構築されるネットワークにおいては、親などの管理者が、子供等の利用者を対象にして、その利用者の持つ端末に対し、インターネット等のネットワークへの接続制限を行う。近年では、１人の利用者が専用に利用する端末の数が増える傾向にある。このように、利用者あたりの端末数が増加すると、同じ接続制限の設定をその利用者の所持する全ての端末に繰り返し行う作業が必要となり、その作業が煩雑となる。
【０００６】
特許文献１に記載のポリシー制御装置は、ＶＬＡＮ等により分割された複数のネットワークを用いてグループ単位での接続管理を行っているが、家庭内における利用者毎の端末の接続制限といったように、同一のネットワーク内における端末の利用者単位での接続管理を行うことは想定していない。また、特許文献１に記載のポリシー制御装置が行うユーザ単位の接続管理は、あくまでも端末単位での接続管理であり、１人の利用者が複数の端末を利用する場合に、その利用者単位で接続管理を行うことは想定されていない。
【０００７】
本発明は、上記事情に鑑みてなされたものであり、１人の利用者が専用に利用する端末の数が増えた場合でも、その利用者の利用する各端末に対する接続制限の設定を容易にすることができる管理装置、管理方法、及び管理プログラムを提供することを目的とする。
【課題を解決するための手段】
【０００８】
本発明の管理装置は、ネットワークと端末との通信を中継する中継装置が行う前記端末に対する前記ネットワークへの接続制限、を管理するための管理装置であって、前記端末の利用者単位でのグループの識別情報を生成するグループ識別情報生成部と、前記中継装置に接続された前記端末の端末情報を取得し、前記管理装置の使用者により指定された前記識別情報と、前記使用者により指定された前記端末情報とを対応付けるグループ対応付け処理部と、前記使用者により指定された前記識別情報に対する前記接続制限の設定の第一の要求を受け入れると、当該識別情報に対応付けられている前記端末情報に対し、前記接続制限の第一の設定情報を対応付ける第一の接続制限設定部と、前記第一の設定情報と当該第一の設定情報が対応付けられた前記端末情報を前記中継装置に送信し、当該端末情報で特定される前記端末に対する当該第一の設定情報に基づく前記ネットワークへの接続制限を前記中継装置に実行させる接続制限実行制御部と、を備えるものである。
【０００９】
本発明の管理方法は、ネットワークと端末との通信を中継する中継装置が行う前記端末に対する前記ネットワークへの接続制限、を管理するための管理方法であって、前記端末の利用者単位でのグループの識別情報を生成するグループ識別情報生成ステップと、前記中継装置に接続された前記端末の端末情報を取得し、前記管理装置の使用者により指定された前記識別情報と、前記使用者により指定された前記端末情報とを対応付けるグループ対応付け処理ステップと、前記使用者により指定された前記識別情報に対する前記接続制限の設定の第一の要求を受け入れると、当該識別情報に対応付けられている前記端末情報に対し、前記接続制限の第一の設定情報を対応付ける第一の接続制限設定ステップと、前記第一の設定情報と当該第一の設定情報が対応付けられた前記端末情報を前記中継装置に送信し、当該端末情報で特定される前記端末に対する当該第一の設定情報に基づく前記ネットワークへの接続制限を前記中継装置に実行させる接続制限実行制御ステップと、を備えるものである。
【００１０】
本発明の管理プログラムは、ネットワークと端末との通信を中継する中継装置が行う前記端末に対する前記ネットワークへの接続制限、を管理するための管理プログラムであって、前記端末の利用者単位でのグループの識別情報を生成するグループ識別情報生成ステップと、前記中継装置に接続された前記端末の端末情報を取得し、前記管理装置の使用者により指定された前記識別情報と、前記使用者により指定された前記端末情報とを対応付けるグループ対応付け処理ステップと、前記使用者により指定された前記識別情報に対する前記接続制限の設定の第一の要求を受け入れると、当該識別情報に対応付けられている前記端末情報に対し、前記接続制限の第一の設定情報を対応付ける第一の接続制限設定ステップと、前記第一の設定情報と当該第一の設定情報が対応付けられた前記端末情報を前記中継装置に送信し、当該端末情報で特定される前記端末に対する当該第一の設定情報に基づく前記ネットワークへの接続制限を前記中継装置に実行させる接続制限実行制御ステップと、をコンピュータに実行させるためのものである。
【発明の効果】
【００１１】
本発明によれば、１人の利用者が専用に利用する端末の数が増えた場合でも、その利用者の利用する各端末に対する接続制限の設定を容易にすることができる管理装置、管理方法、及び管理プログラムを提供することができる。
【図面の簡単な説明】
【００１２】
【図１】家庭内に構築されるＬＡＮ１００の概略構成例を示す模式図である。
【図２】図１に示すＬＡＮ１００における中継装置２の内部構成例を示す模式図である。
【図３】図１に示すＬＡＮ１００における管理装置としての端末３Ｇの内部構成例を示す模式図である。
【図４】図３に示す端末３Ｇの機能ブロック図である。
【図５】ＲＯＭ４１に記憶された管理情報の一例を示す図である。
【図６】ＲＯＭ４１に記憶された管理情報の別例を示す図である。
【図７】接続管理アプリによって端末３Ｇの表示部４４に表示される画面例を示す図である。
【図８】接続管理アプリによって端末３Ｇの表示部４４に表示される画面例を示す図である。
【図９】接続管理アプリによって端末３Ｇの表示部４４に表示される画面例を示す図である。
【図１０】接続管理アプリによって端末３Ｇの表示部４４に表示される画面例を示す図である。
【図１１】接続管理アプリによって端末３Ｇの表示部４４に表示される画面例を示す図である。
【図１２】接続管理アプリによって端末３ＧのＲＯＭ４１に記憶された情報の例を示す図である。
【図１３】接続管理アプリによって端末３Ｇの表示部４４に表示される画面例を示す図である。
【図１４】接続管理アプリによって端末３Ｇの表示部４４に表示される画面例を示す図である。
【図１５】接続管理アプリによって端末３ＧのＲＯＭ４１に記憶された情報の例を示す図である。
【図１６】接続管理アプリによって端末３Ｇの表示部４４に表示される画面例を示す図である。
【図１７】接続管理アプリによって端末３Ｇの表示部４４に表示される画面例を示す図である。
【図１８】接続管理アプリによって端末３Ｇの表示部４４に表示される画面例を示す図である。
【図１９】接続管理アプリによって端末３ＧのＲＯＭ４１に記憶された情報の例を示す図である。
【図２０】接続管理アプリによって端末３Ｇの表示部４４に表示される画面例を示す図である。
【図２１】接続管理アプリによって端末３Ｇの表示部４４に表示される画面例を示す図である。
【図２２】接続管理アプリによって端末３Ｇの表示部４４に表示される画面例を示す図である。
【図２３】接続管理アプリによって端末３ＧのＲＯＭ４１に記憶された情報の例を示す図である。
【図２４】接続管理アプリによって端末３Ｇの表示部４４に表示される画面例を示す図である。
【図２５】接続管理アプリによって端末３Ｇの表示部４４に表示される画面例を示す図である。
【図２６】接続管理アプリによって端末３Ｇの表示部４４に表示される画面例を示す図である。
【図２７】接続管理アプリによって端末３ＧのＲＯＭ４１に記憶された情報の例を示す図である。
【図２８】接続管理アプリによって端末３Ｇの表示部４４に表示される画面例を示す図である。
【図２９】接続管理アプリによって端末３ＧのＲＯＭ４１に記憶された情報の例を示す図である。
【図３０】接続管理アプリによって端末３Ｇの表示部４４に表示される画面例を示す図である。
【図３１】接続管理アプリによって端末３Ｇの表示部４４に表示される画面例を示す図である。
【図３２】接続管理アプリによって端末３Ｇの表示部４４に表示される画面例を示す図である。
【図３３】接続管理アプリによって端末３ＧのＲＯＭ４１に記憶された情報の例を示す図である。
【発明を実施するための形態】
【００１３】
以下、本発明の実施形態について図面を参照して説明する。
【００１４】
図１は、家庭内に構築されるＬＡＮ１００の概略構成例を示す模式図である。ＬＡＮ１００は、携帯電話キャリアの提供する移動体通信網又はインターネット等のネットワーク１に接続されたルータ又はゲートウェイ等の中継装置２と、中継装置２に接続可能な少なくとも１つの端末と、を備える。図１の例では、中継装置２に、端末３Ａ、端末３Ｂ、端末３Ｃ、端末３Ｄ、端末３Ｅ、端末３Ｆ、及び端末３Ｇの７つの端末が接続されている。
【００１５】
中継装置２は、端末３Ａ、端末３Ｂ、端末３Ｃ、端末３Ｄ、端末３Ｅ、端末３Ｆ、及び端末３Ｇの各々と、無線又は有線によって通信可能に接続されている。中継装置２は、端末３Ａ、端末３Ｂ、端末３Ｃ、端末３Ｄ、端末３Ｅ、端末３Ｆ、及び端末３Ｇの各々と、ネットワーク１との間の通信を中継する。
【００１６】
端末３Ａ、端末３Ｂ、端末３Ｃ、端末３Ｄ、端末３Ｅ、端末３Ｆ、及び端末３Ｇの各々は、中継装置２を介してネットワーク１に接続する通信機能を持つ機器である。端末３Ａ、端末３Ｂ、端末３Ｃ、端末３Ｄ、端末３Ｅ、端末３Ｆ、及び端末３Ｇの各々は、例えば、ゲーム機、スマートフォン、タブレット、又はパーソナルコンピュータ等である。
【００１７】
以下では、端末３Ａ、端末３Ｂ、端末３Ｃ、端末３Ｄ、端末３Ｅ、端末３Ｆ、及び端末３Ｇを個々に区別する必要がない場合に、単に端末３と記載する。なお、中継装置２と端末３との間では、通信の中継を行うための認証作業等が事前に行われ、中継装置２に対して端末３が登録された状態となっている。
【００１８】
また、以下では、ＬＡＮ１００が、例えば、父親と、母親と、この両親の息子である長男及び次男と、の４人家族の家に構築されているものとして説明する。そして、端末３Ｄと端末３Ｅと端末３Ｆは長男が主に利用し、端末３Ａと端末３Ｂは次男が主に利用し、端末３Ｃは母が主に利用し、端末３Ｇは父が主に利用するものとして説明する。
【００１９】
中継装置２に接続可能な端末３のうちの任意のもの（図１の例では端末３Ｇ）は、管理プログラムを含むアプリケーションプログラム（接続管理アプリ）をインストールすることのできる端末とされている。端末３Ｇは、この接続管理アプリを実行することにより、管理装置として機能する。以下では、４人家族における父が、端末３Ｇの接続管理アプリ上で各種設定や操作を行って子供を管理する管理者（以下では、端末３Ｇ（管理装置）の使用者という）であるものとして説明する。
【００２０】
この接続管理アプリでは、端末３を利用者単位のグループに分けて登録し、このグループに属する端末３に対し、一括にて、ネットワーク１への接続制限を設定することができる。ネットワーク１への接続制限とは、ネットワーク１に接続できる期間（時間帯又は曜日等）を制限することを意味する。
【００２１】
例えば、端末３Ｄと端末３Ｅと端末３Ｆは長男が主に利用するため、長男のグループに登録される。また、端末３Ａと端末３Ｂは次男が主に利用するため、次男のグループに登録される。例えば、父親が、長男の利用する全ての端末３に対してネットワーク１への接続制限を行いたい場合には、接続管理アプリを操作して、長男のグループに対して接続制限の設定操作を行うことで、長男のグループに属する端末３Ｄと端末３Ｅと端末３Ｆに対して一括で接続制限が行えるようになっている。
【００２２】
図２は、図１に示すＬＡＮ１００における中継装置２の内部構成例を示す模式図である。中継装置２は、ＣＰＵ（Ｃｅｎｔｒａｌ  Ｐｒｏｃｅｓｓｉｎｇ  Ｕｎｉｔ）２０と、ＲＯＭ（Ｒｅａｄ  Ｏｎｌｙ  Ｍｅｍｏｒｙ）２１と、ＲＡＭ（Ｒａｎｄｏｍ  Ａｃｃｅｓｓ  Ｍｅｍｏｒｙ）２２と、第一通信モジュール２３と、第二通信モジュール２４と、を備える。
【００２３】
ＣＰＵ２０、ＲＯＭ２１、ＲＡＭ２２、第一通信モジュール２３、及び第二通信モジュール２４は、それぞれ共通のバスにより接続されている。
【００２４】
第一通信モジュール２３は、ネットワーク１がインターネットであれば、例えばＩＥＥＥ８０２．３規格等に準拠して、ネットワーク１との間で有線による通信を行う。
【００２５】
第一通信モジュール２３は、ネットワーク１が移動体通信網であれば、例えばＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００規格（３Ｇ／ＨＳＤＰＡ（３ｒｄ  Ｇｅｎｅｒａｔｉｏｎ／Ｈｉｇｈ−Ｓｐｅｅｄ  Ｄｏｗｎｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、又は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等を含む）に準拠して、ネットワーク１との間で無線による通信を行う。
【００２６】
第二通信モジュール２４は、端末３との間で無線又は有線により通信するためのモジュールである。第二通信モジュール２４は、例えばＩＥＥＥ（Ｔｈｅ  Ｉｎｓｔｉｔｕｔｅ  ｏｆ  Ｅｌｅｃｔｒｉｃａｌ  ａｎｄＥｌｅｃｔｒｏｎｉｃｓ  Ｅｎｇｉｎｅｅｒｓ）８０２．１１規格に準拠して無線通信を行うものが用いられる。または、第二通信モジュール２４は、１０００ＢＡＳＥ−Ｔ、１００ＢＡＳＥ−ＴＸ、又は、１０ＢＡＳＥ−Ｔ等の規格に準拠して有線通信を行うものが用いられる。第二通信モジュール２４は、端末３との間で無線と有線の両方により通信するためのモジュールであってもよい。
なお、中継装置２が端末３に対するネットワーク１への接続制限を行う具体的な方法としては、第二通信モジュール２４が無線通信を行うものである場合には、その端末３からの指定期間の無線接続を拒否する方法がある。また、第二通信モジュール２４が有線通信を行うものである場合には、その端末３から指定期間に受信したパケットについてはこれを拒否する方法がある。
【００２７】
ＣＰＵ２０は、ＲＯＭ２１内に記憶されたファームウェア等のプログラムがＲＡＭ２２において展開された後で実行されることで、中継装置２全体の動作制御を行う。ＣＰＵ２０の構造は、より具体的には、半導体素子等の回路素子を組み合わせた電気回路である。
【００２８】
ＲＯＭ２１には、上述のファームウェア等の各種プログラムと、後述する接続管理情報を含む各種データが記憶される。ＣＰＵ２０は、ＲＯＭ２１に記憶されている接続管理情報に基づいて、中継装置２に接続された端末３に対するネットワーク１への接続制限を実行する。ＲＯＭ２１には、端末３との間で行われた認証作業時に端末３から取得した端末情報（ＩＰアドレス、ＭＡＣアドレス、メーカー名、機器カテゴリ等）が登録される。
【００２９】
ＲＡＭ２２は、中継装置２のメインメモリとして動作し、各種プログラム及びデータが記憶される。
【００３０】
図３は、図１に示すＬＡＮ１００における管理装置としての端末３Ｇの内部構成例を示す模式図である。端末３Ｇは、ＣＰＵ４０と、ＲＯＭ４１と、ＲＡＭ４２と、通信モジュール４３と、表示部４４と、操作部４５と、を備える。
【００３１】
ＣＰＵ４０、ＲＯＭ４１、ＲＡＭ４２、通信モジュール４３、表示部４４、及び操作部４５は、それぞれ共通のバスにより接続されている。
【００３２】
通信モジュール４３は、中継装置２との間で無線又は有線により通信するためのモジュールである。通信モジュール４３は、例えばＩＥＥＥ８０２．１１規格に準拠して無線通信を行うものが用いられる。または、通信モジュール４３は、１０００ＢＡＳＥ−Ｔ、１００ＢＡＳＥ−ＴＸ、又は、１０ＢＡＳＥ−Ｔ等の規格に準拠して有線通信を行うものが用いられる。
【００３３】
表示部４４は、例えば液晶表示素子又は有機ＥＬ（ｅｌｅｃｔｒｏ−ｌｕｍｉｎｅｓｃｅｎｃｅ）表示素子等の表示素子により構成された情報を表示するための表示パネルと、この表示パネルを駆動する表示コントローラ（例えばＧＰＵ（Ｇｒａｐｈｉｃｓ  Ｐｒｏｃｅｓｓｉｎｇ  Ｕｎｉｔ）と、を含む。
【００３４】
この表示コントローラは、ＣＰＵ４０から情報を表示する旨の指示を示すデータを受けると、表示画面を構成するデータを作成し、このデータに基づいて上記の表示パネルを駆動して、この表示パネルの表示領域に所望の表示画面を表示させる。
【００３５】
操作部４５は、ＣＰＵ４０への各種情報の入力を行うためのインタフェースであり、ボタン又はタッチパネル等を含む。以下では、操作部４５が表示部４４の表示パネルと一体的に形成されたタッチパネルであるものとして説明する。操作部４５が操作されると、その操作に応じた情報がＣＰＵ４０に入力される。
【００３６】
ＣＰＵ４０は、ＲＯＭ４１内に記憶されたプログラムがＲＡＭ４２において展開された後で実行されることで、端末３Ｇ全体の動作制御を行う。このプログラムには、上記の接続管理アプリが含まれる。ＣＰＵ４０の構造は、より具体的には、半導体素子等の回路素子を組み合わせた電気回路である。
【００３７】
ＲＯＭ４１には、各種プログラムと、後述する管理情報を含む各種データが記憶される。ＲＯＭ４１は記憶部として機能する。
【００３８】
図４は、図３に示す端末３Ｇの機能ブロック図である。
【００３９】
端末３Ｇは、ＲＯＭ４１に記憶された接続管理アプリを含むプログラムをＣＰＵ４０が実行して各部と協働することにより、名称登録部４０Ａ、グループ識別情報生成部４０Ｂ、グループ対応付け処理部４０Ｃ、第一の接続制限設定部４０Ｄ、第二の接続制限設定部４０Ｅ、及び接続制限実行制御部４０Ｆとして機能する。
【００４０】
名称登録部４０Ａは、中継装置２のＲＯＭ２１に登録されている端末３の端末情報を、中継装置２から取得してＲＯＭ４１に記憶する。
【００４１】
また、名称登録部４０Ａは、中継装置２に接続されている端末３の端末情報を中継装置２から取得し、この端末情報に基づいて、ＲＯＭ４１に記憶している端末情報のうち、中継装置２に接続中の端末の端末情報に、接続中フラグを対応付ける。
【００４２】
更に、名称登録部４０Ａは、端末３Ｇの使用者が操作部４５を操作することにより入力される表示要求（中継装置２に接続された端末３の端末情報の一覧を表示する要求）を受け入れると、ＲＯＭ４１に記憶されている全ての端末情報、又は、ＲＯＭ４１に記憶されている接続中フラグの対応付けられた端末情報、の一覧画面（以下、端末一覧画面ともいう）を、表示部４４に表示させる。
【００４３】
名称登録部４０Ａは、例えば、端末一覧画面を表示部４４に表示させた後、この端末一覧画面にて１つの端末情報がタッチ操作によって選択されると、この選択された端末情報の詳細画面を表示部４４に表示させる。この詳細画面上には、この端末情報によって特定される端末３の名称を任意に入力できる領域が設けられる。
【００４４】
この領域に、端末３Ｇの使用者が任意の名称を入力してこの名称を保存する操作を行うと、名称登録部４０Ａは、この名称の入力を受け付け、ＲＯＭ４１に記憶しているこの選択された端末情報に、この名称を追加して、この端末情報を更新する。名称登録部４０Ａにより、端末３Ｇの使用者は、中継装置２に接続された端末３が誰のものであるかを容易に確認可能となる。
【００４５】
グループ識別情報生成部４０Ｂは、端末３Ｇの使用者が操作部４５を操作することにより行われる情報（例えばユーザ名又はグループ名）の入力を受け入れ、この情報に基づいて、端末３の利用者単位でのグループの識別情報を生成する。グループ識別情報生成部４０Ｂは、例えば、端末３Ｇの使用者から入力されたユーザ名を、グループの識別情報として生成し、ＲＯＭ４１に記憶する。
【００４６】
グループ対応付け処理部４０Ｃは、ＲＯＭ４１に記憶されたグループの識別情報のうちの、端末３Ｇの使用者により指定された識別情報に対し、ＲＯＭ４１に記憶されている全ての端末情報、又は、ＲＯＭ４１に記憶されている接続中フラグの対応付けられた端末情報、のうちの端末３Ｇの使用者により指定された端末情報を対応付けて、ＲＯＭ４１に記憶する。識別情報と、この識別情報に対応付けられた端末情報とにより、グループ管理情報が構成される。なお、１つの端末情報には、１つの識別情報のみが対応付けられる。
【００４７】
例えば、生成された識別情報の一覧を表示するための画面（以下、ユーザ一覧画面という）が表示部４４に表示された状態にて、端末３Ｇの使用者がそのユーザ一覧画面の中から１つの識別情報を選択する操作を行うと、この識別情報を指定する情報がＣＰＵ４０に入力される。グループ対応付け処理部４０Ｃは、この情報を受け入れることで、端末３Ｇの使用者により指定された識別情報を認識する。
【００４８】
また、例えば、上記の端末一覧画面が表示部４４に表示された状態にて、端末３Ｇの使用者がその端末一覧画面の中から１つの端末情報を選択する操作を行うと、この端末情報を指定する情報がＣＰＵ４０に入力される。グループ対応付け処理部４０Ｃは、この情報を受け入れることで、端末３Ｇの使用者により指定された端末情報を認識する。
【００４９】
識別情報と対応付けられた端末情報にて特定される端末３のことを、以下では登録済み端末ともいい、識別情報と対応付けられていない端末情報にて特定される端末３のことを、以下では未登録端末ともいう。
【００５０】
第一の接続制限設定部４０Ｄは、ＲＯＭ４１に記憶された識別情報のうちの端末３Ｇの使用者により指定された識別情報に対する接続制限の設定の第一の要求を受け入れると、この識別情報と対応付けられている全ての端末情報に対し、この第一の要求に応じた内容の接続制限の設定情報を対応付けて、ＲＯＭ４１に記憶する。接続制限の設定情報とは、ネットワーク１への接続を禁止する期間や、ネットワーク１への接続を禁止するか否か等を示した情報である。第一の接続制限設定部４０ＤによってＲＯＭ４１に記憶された接続制限の設定情報を第一の設定情報という。
【００５１】
例えば、上記のユーザ一覧画面の中から任意の識別情報を選択する操作がなされると、グループ対応付け処理部４０Ｃは、端末３Ｇの使用者により指定された識別情報を認識し、この指定された識別情報とこれに対応づけられた全ての端末情報とを表示するための画面（以下、ユーザ詳細画面という）を表示部４４に表示させる。
【００５２】
端末３Ｇの使用者がこのユーザ詳細画面において、このユーザ詳細画面に含まれる全ての端末情報にて特定される端末３に対するネットワーク１への接続制限の設定を要求する操作を行うと、このユーザ詳細画面に表示中の識別情報に対する接続制限の設定の第一の要求がＣＰＵ４０に入力される。
【００５３】
第一の接続制限設定部４０Ｄは、この第一の要求を受け入れると、ユーザ詳細画面に表示中の識別情報と対応付けられている各端末情報に、上記操作に応じた内容の設定情報を対応付けてＲＯＭ４１に記憶する。端末情報と、この端末情報に対応付けられた設定情報とにより、接続管理情報が構成される。この接続管理情報と上述したグループ管理情報とを合わせたものを管理情報という。
【００５４】
図５は、ＲＯＭ４１に記憶された管理情報の一例を示す図である。図５に示す管理情報は、端末３Ｄと端末３Ｅと端末３Ｆを主として利用する長男のグループの識別情報Ｇ１が生成されて登録され、端末３Ａと端末３Ｂを主として利用する次男のグループの識別情報Ｇ２が生成されて登録され、各識別情報Ｇ１，Ｇ２に対して異なる接続制限の設定の第一の要求が行われた場合に生成されたものである。
【００５５】
具体的には、ＲＯＭ４１には、長男のグループの識別情報Ｇ１と、次男のグループの識別情報Ｇ２と、が記憶されている。また、識別情報Ｇ１には、端末３Ｇの使用者により指定された端末情報Ｔ１，Ｔ２，Ｔ３が対応付けて記憶されている。端末情報Ｔ１は例えば端末３Ｄの端末情報であり、端末情報Ｔ２は例えば端末３Ｅの端末情報であり、端末情報Ｔ３は例えば端末３Ｆの端末情報である。
【００５６】
更に、これら端末情報Ｔ１，Ｔ２，Ｔ３には、端末３Ｇの使用者により要求された第一の設定情報Ｌ１が対応付けて記憶されている。識別情報Ｇ１とこれに対応する端末情報Ｔ１，Ｔ２，Ｔ３とを合わせたものがグループ管理情報である。端末情報Ｔ１，Ｔ２，Ｔ３の各々と、この各々に対応する第一の設定情報Ｌ１とを合わせたものが接続管理情報である。
【００５７】
識別情報Ｇ２には、端末３Ｇの使用者により指定された端末情報Ｔ４，Ｔ５が対応付けて記憶されている。端末情報Ｔ４は例えば端末３Ａの端末情報であり、端末情報Ｔ５は例えば端末３Ｂの端末情報である。
【００５８】
更に、これら端末情報Ｔ４，Ｔ５には、端末３Ｇの使用者により要求された第一の設定情報Ｌ２が対応付けて記憶されている。識別情報Ｇ２とこれに対応する端末情報Ｔ４，Ｔ５とを合わせたものがグループ管理情報である。端末情報Ｔ４，Ｔ５の各々と、この各々に対応する第一の設定情報Ｌ２とを合わせたものが接続管理情報である。
【００５９】
第二の接続制限設定部４０Ｅは、ＲＯＭ４１に記憶されている全ての端末情報、又は、ＲＯＭ４１に記憶されている接続中フラグの対応付けられた端末情報のうちの、端末３Ｇの使用者により指定された端末情報、に対するネットワーク１への接続制限の設定の第二の要求を受け入れると、この指定された端末情報に対し、接続制限の設定情報を対応付けてＲＯＭ４１に記憶する。
【００６０】
例えば、上記ユーザ詳細画面が表示部４４に表示されている状態にて、端末３Ｇの使用者がこのユーザ詳細画面に含まれる任意の端末情報を指定する操作を行うと、ＣＰＵ４０は、指定された端末情報の詳細を表示するための画面（以下、端末詳細画面という）を表示部４４に表示させる。
【００６１】
端末３Ｇの使用者が、この端末詳細画面において、端末詳細画面にて表示中の端末情報にて特定される端末３に対するネットワーク１への接続制限の設定を要求する操作を行うと、この端末情報に対する接続制限の設定の第二の要求がＣＰＵ４０に入力される。
【００６２】
第二の接続制限設定部４０Ｅは、この第二の要求を受け入れると、端末詳細画面に表示中の端末情報に、上記操作に応じた内容の設定情報を対応付けてＲＯＭ４１に記憶する。第二の接続制限設定部４０ＥによってＲＯＭ４１に記憶された接続制限の設定情報を第二の設定情報という。
【００６３】
例えば、図５に例示される管理情報が生成された状態にて、端末３Ｇの使用者が、端末情報Ｔ１にて特定される端末３Ｄに対するネットワーク１への接続制限の設定を要求する操作を行うと、上記の第二の要求が行われる。そして、この第二の要求を受け入れた第二の接続制限設定部４０Ｅは、端末情報Ｔ１とこれに対応する第一の設定情報Ｌ１との対応付けを解除する。具体的には、第二の接続制限設定部４０Ｅは、端末情報Ｔ１に対応する第一の設定情報Ｌ１を、第二の要求に応じた第二の設定情報Ｌ３に変更して、管理情報を図６に示すものに更新する。
【００６４】
接続制限実行制御部４０Ｆは、このようにして生成されてＲＯＭ４１に記憶された管理情報のうちの接続管理情報を中継装置２に送信し、この接続管理情報に基づく端末３に対するネットワーク１への接続制限を中継装置２に実行させる。
例えば、図５に示す端末情報Ｔ１と第一の設定情報Ｌ１からなる接続管理情報と、端末情報Ｔ２と第一の設定情報Ｌ１からなる接続管理情報と、端末情報Ｔ３と第一の設定情報Ｌ１からなる接続管理情報と、が生成されてＲＯＭ４１に記憶された場合を例にする。
この場合、接続制限実行制御部４０Ｆは、まず、端末情報Ｔ１と第一の設定情報Ｌ１からなる接続管理情報を中継装置２に送信し、この端末情報Ｔ１で特定される端末３Ｄに対する接続制限を、この第一の設定情報Ｌ１に基づいて中継装置２に実行させる。
その後、接続制限実行制御部４０Ｆは、図５に示す端末情報Ｔ２と第一の設定情報Ｌ１からなる接続管理情報を中継装置２に送信し、この端末情報Ｔ２で特定される端末３Ｅに対する接続制限を、この第一の設定情報Ｌ１に基づいて中継装置２に実行させる。
その後、接続制限実行制御部４０Ｆは、図５に示す端末情報Ｔ３と第一の設定情報Ｌ１からなる接続管理情報を中継装置２に送信し、この端末情報Ｔ３で特定される端末３Ｆに対する接続制限を、この第一の設定情報Ｌ１に基づいて中継装置２に実行させる。
このように、接続制限実行制御部４０Ｆは、中継装置２に対し、端末３単位で接続制限情報を送信し、この接続制限情報に基づいて端末３毎に個別に接続制限を実行させる。
【００６５】
中継装置２は、端末３Ｇから任意の端末情報を含む接続管理情報を受信するとこれをＲＯＭ２１に記憶する。中継装置２は、ＲＯＭ２１に記憶したこの接続管理情報に含まれる端末情報で特定される端末３に対し、この接続管理情報に含まれる設定情報に基づいて、ネットワーク１への接続制限を実行する。このように、中継装置２は、グループを意識することなく、あくまでも端末３単位で接続制限を行う。
【００６６】
次に、接続管理アプリを実行した端末３Ｇによる各種情報の生成動作を、端末３Ｇの表示部４４に表示される画面例を用いて説明する。以下の説明では、端末３Ｄの端末情報を端末情報Ｔ１とし、端末３Ｅの端末情報を端末情報Ｔ２とし、端末３Ｆの端末情報を端末情報Ｔ３とし、端末３Ａの端末情報を端末情報Ｔ４とし、端末３Ｂの端末情報を端末情報Ｔ５とし、端末３Ｃの端末情報を端末情報Ｔ６とし、端末３Ｇの端末情報を端末情報Ｔ７とする。
【００６７】
また、以下の動作では、端末３ＧのＲＯＭ４１に記憶されている端末情報Ｔ１〜Ｔ７の各々に、端末３Ｇの使用者から入力された端末３の名称が含まれた状態となっているものとして説明する。
【００６８】
具体的には、端末３Ａの端末情報Ｔ４には、“次男のゲーム機”という名称が追加されている。端末３Ｂの端末情報Ｔ５には、“次男のタブレット”という名称が追加されている。端末３Ｃの端末情報Ｔ６には、“母のタブレット”という名称が追加されている。端末３Ｄの端末情報Ｔ１には、“長男のゲーム機”という名称が追加されている。端末３Ｅの端末情報Ｔ２には、“長男のスマートフォン”という名称が追加されている。端末３Ｆの端末情報Ｔ３には、“長男のパソコン”という名称が追加されている。端末３Ｇの端末情報Ｔ７には、“父のスマートフォン”という名称が追加されている。
【００６９】
図７〜図１１、図１３、図１４、図１６〜図１８、図２０〜図２２、図２４〜図２６、図２８、及び図３０〜図３２は、接続管理アプリによって端末３Ｇの表示部４４に表示される画面例を示す図である。図１２、図１５、図１９、図２３、図２７、図２９、及び図３３は、接続管理アプリによって端末３ＧのＲＯＭ４１に記憶された情報の例を示す図である。各図の画面例において、“３Ａ”〜“３Ｇ”が中に記された矩形は、端末３Ａ〜３Ｇを示すアイコンである。
【００７０】
（グループ登録動作）
端末３ＧのＲＯＭ４１にグループの識別情報又は接続制限の設定情報等が記憶されていない初期状態においては、まず、ＣＰＵ４０は、図７に示すユーザ一覧の初期画面を表示部４４に表示させる。この初期画面の右下にある（＋）のボタンが使用者によりタッチされると、ＣＰＵ４０は、図８に示す画面を表示部４４に表示させる。
【００７１】
次に、使用者により、図８に示す画面における入力領域８０に“長男”の文字が入力され、この画面の右上の“保存”がタッチされると、この入力された文字情報がＣＰＵ４０に入力される。ＣＰＵ４０では、グループ識別情報生成部４０Ｂが、この文字情報を受け入れると、この文字情報をグループの識別情報Ｇ１としてＲＯＭ４１に記憶する。
【００７２】
次に、使用者により、図８に示す画面の右下にある（＋）ボタンがタッチされると、ＣＰＵ４０は、ＲＯＭ４１に事前に記憶している端末情報Ｔ１〜Ｔ７に基づいて、図９に示す画面を表示部４４に表示させる。
【００７３】
図９に示す画面には、ＲＯＭ４１に記憶されている全ての端末情報Ｔ１〜Ｔ７、又は、ＲＯＭ４１に記憶されている端末情報Ｔ１〜Ｔ７のうちの接続中フラグが対応付けられた端末情報が、上述したアイコンと共に表示される。ここで表示される端末情報の項目としては、使用者によって登録された端末３の名称、端末３のメーカー名、端末３のＩＰアドレスとなっている。
【００７４】
ＣＰＵ４０は、図９に示す画面にて表示すべき端末情報のうち、グループ識別情報生成部４０Ｂにより生成された識別情報が対応付けられているものについては“登録済み端末”の欄に表示させ、識別情報が対応付けられていないものについては“未登録端末”の欄に表示させる。この時点では、識別情報が対応付けられた端末情報は存在していない。このため、全ての端末情報Ｔ１〜Ｔ７が“未登録端末”の欄に表示される。
【００７５】
図９に示す画面において、端末３Ｄ、端末３Ｅ、及び端末３Ｆの各々の端末情報とアイコンが表示される領域が使用者によりタッチ操作によって選択されて、画面右上の“決定”がタッチされると、端末３Ｄの端末情報Ｔ１、端末３Ｅの端末情報Ｔ２、及び端末３Ｆの端末情報Ｔ３を指定する情報がＣＰＵ４０に入力される。
【００７６】
ＣＰＵ４０では、グループ対応付け処理部４０Ｃが、この情報を受け入れると、端末情報Ｔ１、端末情報Ｔ２、及び端末情報Ｔ３を識別情報Ｇ１に対応付けてＲＯＭ４１に記憶し、図８に示す画面の“登録済み端末”の欄に、端末情報Ｔ１、端末情報Ｔ２、及び端末情報Ｔ３と、これに対応するアイコンと、を追加した図示省略の画面Ｘを表示部４４に表示させる。
【００７７】
この画面Ｘにおいて右上の“保存”がタッチされると、ＣＰＵ４０は、ＲＯＭ４１に記憶した識別情報Ｇ１とこれに対応する端末情報Ｔ１、端末情報Ｔ２、及び端末情報Ｔ３とに基づいて、図１０に示すユーザ一覧画面を表示部４４に表示させる。
【００７８】
図１０に示す画面には、生成されたグループの識別情報Ｇ１を示す“長男”の文字と、この識別情報Ｇ１に対応している端末情報の総数を示す“３台”の文字とを含む第一領域が表示される。
【００７９】
続いて、使用者により、図１０に示す画面の右下の（＋）ボタンがタッチされると、ＣＰＵ４０は、図８に示す画面を表示部４４に表示させる。そして、使用者により、図８に示す画面における入力領域８０に“次男”の文字が入力され、この画面の右上の“保存”がタッチされると、この入力された文字情報がＣＰＵ４０に入力される。ＣＰＵ４０では、グループ識別情報生成部４０Ｂが、この文字情報を受け入れると、この文字情報をグループの識別情報Ｇ２としてＲＯＭ４１に記憶する。
【００８０】
入力領域８０に“次男”の文字が入力されて“保存”がタッチされた後、使用者により、図８に示す画面の右下にある（＋）ボタンがタッチされると、ＣＰＵ４０は、ＲＯＭ４１に記憶されている端末情報Ｔ１〜Ｔ７に基づいて、図９に示す画面と同様の図示省略の画面Ｘ１（図９における端末３Ｄ〜３Ｆの端末情報とアイコンが“登録済み端末”の欄に移動された画面）を表示部４４に表示させる。
【００８１】
この画面Ｘ１において、端末３Ａ及び端末３Ｂの端末情報とアイコンが表示される領域が使用者によりタッチ操作によって選択されて、画面右上の“決定”がタッチされると、端末３Ａの端末情報Ｔ４及び端末３Ｂの端末情報Ｔ５を指定する情報がＣＰＵ４０に入力される。
【００８２】
ＣＰＵ４０では、グループ対応付け処理部４０Ｃが、この情報を受け入れると、端末情報Ｔ４及び端末情報Ｔ５を識別情報Ｇ２に対応付けてＲＯＭ４１に記憶し、図８に示す画面の“登録済み端末”の欄に、端末情報Ｔ４及び端末情報Ｔ５と、これに対応するアイコンと、を追加した図示省略の画面Ｘ２を表示部４４に表示させる。
【００８３】
この画面Ｘ２において右上の“保存”がタッチされると、ＣＰＵ４０は、ＲＯＭ４１に記憶した識別情報Ｇ２とこれに対応する端末情報Ｔ４及び端末情報Ｔ５とに基づいて、図１１に示すユーザ一覧画面を表示部４４に表示させる。
【００８４】
図１１に示す画面には、上記の第一領域と、グループの識別情報Ｇ２を示す“次男”の文字とこの識別情報Ｇ２に対応している端末情報の総数を示す“２台”の文字とを含む第二領域と、が表示される。
【００８５】
ここまでの動作により、端末３ＧのＲＯＭ４１には、図１２に示す２つのグループ管理情報が記憶されることになる。ここまでが、端末３を利用者単位でグループ分けする動作となる。
【００８６】
以下では、各グループの識別情報に対して一括で接続制限の設定を行う際の動作と、各端末情報に対して個別に接続制限の設定を行う際の動作について説明する。
【００８７】
（接続制限の設定動作：一括設定）
図１１に示す画面において“長男”の文字を含む第一領域が使用者によりタッチされると、ＣＰＵ４０は、ＲＯＭ４１に記憶されている識別情報Ｇ１とこれに対応する端末情報Ｔ１〜Ｔ３に基づいて、図１３に示すユーザ詳細画面を表示させる。
【００８８】
図１３に示すユーザ詳細画面には、識別情報Ｇ１に対応する全ての端末情報にて特定される端末３に対し、一括で接続制限の設定を行うための“接続制限一括設定”ボタンが含まれている。この“接続制限一括設定”ボタンが使用者によりタッチされると、ＣＰＵ４０は、図１３に示すユーザ詳細画面に、接続制限の設定パターンを選択するための設定画面１４０をオーバーレイ表示させる（図１４参照）。
【００８９】
設定画面１４０には、未設定、制限しない、接続禁止、７〜１２時禁止、１２〜１８時禁止、１８〜２３時禁止、及び、２３〜７時禁止の７つの項目から１つを選択させるためのラジオボタンが表示されている。
【００９０】
“未設定”とは、ネットワーク１への接続制限の設定を行わないことを意味する。“制限しない”とは、ネットワーク１への接続制限を行わないことを意味する。“接続禁止”とは、ネットワーク１への接続制限を無期限で行うことを意味する。“ＸＸ〜ＹＹ時禁止”とは、ＸＸ時〜ＹＹ時の期間はネットワーク１への接続制限を行うことを意味する。
【００９１】
使用者のタッチ操作により、この７つの項目のいずれか１つが選択され、設定画面１４０における右下の“ＯＫ”がタッチされると、使用者により指定されている識別情報Ｇ１に対する接続制限の設定の第一の要求がＣＰＵ４０に入力される。
【００９２】
ＣＰＵ４０では、第一の接続制限設定部４０Ｄが、この第一の要求を受け入れると、識別情報Ｇ１に対応付けられている端末情報Ｔ１〜Ｔ３の各々に対し、上記のラジオボタンによって選択された項目に応じた接続制限の第一の設定情報を対応付けてＲＯＭ４１に記憶する。
【００９３】
例えば、“未設定”又は“制限しない”が選択されていた場合には、接続制限を行わないことを示す情報が第一の設定情報としてＲＯＭ４１に記憶される。“接続禁止”が選択されていた場合には、接続制限を無期限にて行うことを示す情報が第一の設定情報としてＲＯＭ４１に記憶される。“ＸＸ〜ＹＹ時禁止”  が選択されていた場合には、指定されている時間帯だけ接続制限を行うことを示す情報が第一の設定情報としてＲＯＭ４１に記憶される。
【００９４】
例えば、図１４に示すように、“１８〜２３時禁止”の項目が選択された状態にてＯＫがタッチされると、第一の接続制限設定部４０Ｄは、ＲＯＭ４１に記憶されている識別情報Ｇ１の端末情報Ｔ１〜Ｔ３の各々に、１８〜２３時の期間は接続制限を行うことを示す第一の設定情報Ｌ１を対応づけて記憶する。これにより、図１５に示すように、接続管理情報が３つ生成された状態となる。
【００９５】
図１４に示す設定画面１４０にてＯＫがタッチされると、ＣＰＵ４０は、ＲＯＭ４１に記憶されている図１５の情報に基づいて、図１３に示されていたユーザ詳細画面を、図１６に示すユーザ詳細画面に更新する。図１６に示すユーザ詳細画面には、識別情報Ｇ１に対応する端末情報Ｔ１〜Ｔ３の各々の表示領域に、第一の設定情報Ｌ１を示す“１８〜２３時禁止”のアイコンが追加表示されている。
【００９６】
（接続制限の設定動作：個別設定）
図１６に示すユーザ詳細画面において端末３Ｄの端末情報Ｔ１の表示領域が使用者によりタッチされると、端末情報Ｔ１を指定する情報がＣＰＵ４０に入力される。ＣＰＵ４０は、この情報を受け入れると、端末情報Ｔ１とこれに対応付けられた第一の設定情報Ｌ１とに基づいて、図１７に示す端末詳細画面を表示部４４に表示させる。
【００９７】
図１７に示す端末詳細画面には、端末３Ｄの端末情報Ｔ１に対応付けられた第一の設定情報Ｌ１に基づく“接続制限    １８〜２３時禁止”の文字が表示される領域が含まれる。この領域が使用者によりタッチされると、ＣＰＵ４０は、図１８に示すように、図１７に示す端末詳細画面に設定画面１４０をオーバーレイ表示させる。
【００９８】
図１８に示す画面上にて、例えば“接続禁止”の項目が選択された状態にてＯＫがタッチされると、使用者により指定された端末情報Ｔ１に対する接続制限の設定の第二の要求がＣＰＵ４０に入力される。
【００９９】
第二の接続制限設定部４０Ｅは、この第二の要求を受け入れると、図１５に示した端末情報Ｔ１に対応する第一の設定情報Ｌ１を、無期限で接続制限を行うことを示す第二の設定情報Ｌ３に変更する。つまり、端末情報Ｔ１と第一の設定情報Ｌ１との対応付けを解除して、端末情報Ｔ１に第二の設定情報Ｌ３を対応付ける。これにより、管理情報は、図１９に示すものに更新される。
【０１００】
このように、図１８に示す設定画面１４０にてＯＫがタッチされて管理情報が更新されると、ＣＰＵ４０は、ＲＯＭ４１に記憶されている図１９の情報に基づいて、図１６に示されていたユーザ詳細画面を、図２０に示すユーザ詳細画面に更新する。図２０に示すユーザ詳細画面には、識別情報Ｇ１に対応する端末情報Ｔ１の表示領域に、第二の設定情報Ｌ３を示す“接続禁止”のアイコンが表示されている。
【０１０１】
（端末のグループ移動動作）
接続管理アプリでは、グループの解除（ＲＯＭ４１からの識別情報の削除）を行うことなく、端末３の所属するグループを別のグループに変更することが可能である。以下では、図１９に示す２つのグループ管理情報が生成された状態から、端末３Ｆの所属するグループの識別情報を、識別情報Ｇ１から識別情報Ｇ２に変更する場合の動作について説明する。
【０１０２】
図１９に示す情報が生成された後に表示された図１１に示すユーザ一覧画面において“次男”の文字を含む第二領域が使用者によりタッチされると、ＣＰＵ４０は、ＲＯＭ４１に記憶されている識別情報Ｇ２とこれに対応する端末情報Ｔ４、Ｔ５に基づいて、図２１に示すユーザ詳細画面を表示させる。
【０１０３】
次に、使用者により、図２１に示す画面の右下にある（＋）ボタンがタッチされると、ＣＰＵ４０は、ＲＯＭ４１に記憶されている端末情報Ｔ１〜Ｔ７に基づいて、図２２に示す画面を表示部４４に表示させる。図２２に示す画面には、識別情報Ｇ２に対応する端末情報Ｔ４，Ｔ５を除く端末情報が、未登録端末と登録済み端末とに分けて表示されている。
【０１０４】
図２２に示す画面において、端末３Ｆの端末情報Ｔ３が表示される領域が使用者によりタッチされて、画面右上の“決定”がタッチされると、端末３Ｆの端末情報Ｔ３に対するグループの変更の要求がＣＰＵ４０に入力される。
【０１０５】
ＣＰＵ４０では、グループ対応付け処理部４０Ｃが、この要求を受け入れると、識別情報Ｇ１と端末情報Ｔ３との対応付けを解除し、端末情報Ｔ３を識別情報Ｇ２に対応付けてＲＯＭ４１に記憶する。これにより、ＲＯＭ４１に記憶されている２つのグループ管理情報は、図１９の状態から、図２３に示すものに更新される。なお、図２３に示すように、識別情報Ｇ１と端末情報Ｔ３との対応付けを解除した場合には、端末情報Ｔ３と第一の設定情報Ｌ１との対応付けも解除される。つまり、識別情報Ｇ２に対応付けた端末情報Ｔ３には、設定情報が対応付けられていない状態となる。
【０１０６】
図２３に示すようにグループ管理情報が更新されると、ＣＰＵ４０は、更新後のグループ管理情報に基づいて、図２１に示されていたユーザ詳細画面を、図２４に示すユーザ詳細画面に更新する。図２４に示すユーザ詳細画面には、端末３Ｆの端末情報Ｔ３とこれに対応するアイコンが追加表示されている。
【０１０７】
（接続制限の設定動作：個別設定）
なお、図１７から図１９を用いて説明した任意の端末情報に対する接続制限の個別設定は、端末情報にグループの識別情報が対応付けられていない状態であっても行うことが可能である。ＣＰＵ４０は、接続管理アプリの起動時に、中継装置２から取得した中継装置２に登録されている端末の端末情報をチェックし、新たな端末情報が追加されていた場合には、表示部４４にて、新たな端末が追加されたことを通知するのがよい。
または、中継装置２に新たな端末が登録された時点で、中継装置２が、接続管理アプリを実行する端末３Ｇに通知を行い、端末３ＧのＣＰＵ４１は、この通知を受けた場合に、新たな端末情報が追加されたことを認識して通知を行ってもよい。
【０１０８】
また、図１７から図１９を用いて説明した任意の端末情報に対する接続制限の個別設定は、端末情報に第一の設定情報が対応付けられていない状態であっても行うことが可能である。例えば、図１３に示すユーザ詳細画面において、端末３Ｄの端末情報の表示される領域が使用者によりタッチされると、端末情報Ｔ１を指定する情報がＣＰＵ４０に入力される。ＣＰＵ４０は、この情報を受け入れると、端末情報Ｔ１に基づいて、図２５に示す端末詳細画面を表示部４４に表示させる。
【０１０９】
図１３に示す状態では、端末３Ｄの端末情報Ｔ１に設定情報は対応付けられていない。このため、図２５に示す端末詳細画面には、“接続制限    未設定”の文字が表示される領域が含まれる。この領域が使用者によりタッチされると、ＣＰＵ４０は、図２６に示すように、図２５に示す端末詳細画面に対し設定画面１４０をオーバーレイ表示させる。
【０１１０】
図２６に示す画面上にて、例えば“接続禁止”の項目が選択された状態にてＯＫがタッチされると、使用者により指定された端末情報Ｔ１に対する接続制限の設定の第二の要求がＣＰＵ４０に入力される。
【０１１１】
第二の接続制限設定部４０Ｅは、この第二の要求を受け入れると、図１２に示した端末情報Ｔ１に対し、無期限で接続制限を行うことを示す第二の設定情報Ｌ３を対応付けて記憶する。これにより、管理情報は、図１２に示す状態から、図２７に示すものに更新される。
【０１１２】
図２７に示すようにグループ管理情報が更新されると、ＣＰＵ４０は、更新後のグループ管理情報に基づいて、図１３に示されていたユーザ詳細画面を、図２８に示すユーザ詳細画面に更新する。図２８に示すユーザ詳細画面には、識別情報Ｇ１に対応する端末情報Ｔ１の表示領域に、第二の設定情報Ｌ３を示す“接続禁止”のアイコンが追加表示されている。
【０１１３】
（接続制限が設定された端末と未設定の端末とが混在する場合の接続制限の一括設定動作）
図２８に示すユーザ詳細画面において“接続制限一括設定”ボタンがタッチされると、ＣＰＵ４０は、図２８に示すユーザ詳細画面に、接続制限の設定パターンを選択するための設定画面１４０をオーバーレイ表示させる。そして、例えば、設定画面１４０にて“１８〜２３時禁止”の項目が選択された状態にてＯＫがタッチされると、使用者により指定されている識別情報Ｇ１に対する接続制限の設定の第一の要求がＣＰＵ４０に入力される。
【０１１４】
ＣＰＵ４０では、第一の接続制限設定部４０Ｄが、この第一の要求を受け入れると、識別情報Ｇ１に対応付けられている端末情報Ｔ１〜Ｔ３のうち、既に第二の設定情報Ｌ３が対応付けられている端末情報Ｔ３を除く端末情報Ｔ１，Ｔ２に対し、設定画面１４０にて選択された項目に応じた接続制限の第一の設定情報Ｌ１を対応付けてＲＯＭ４１に記憶する。これにより、図２７に示す管理情報は、接続管理情報が２つ追加された管理情報（図２９参照）に更新される。
【０１１５】
（実施形態の効果）
以上のように、接続管理アプリによれば、多数の端末３を利用者単位でグループ分けし、各グループに所属する端末３に対して一括にて接続制限の設定を行うことができる。このため、中継装置２に接続される端末３の数が多くなり、この端末３の利用者の数が多くなる状況であっても、接続制限の設定を簡易に行うことができる。
【０１１６】
また、中継装置２は、端末情報と接続制限の設定情報とを対応付けた接続管理情報に基づいて端末３に対するネットワーク１への接続制限を実行する。このように、中継装置２がグループを意識した処理を行うことはない。このため、中継装置２のファームウェアの大きな改良を行うことなく、上述した効果を得ることが可能となり、ＬＡＮ１００構築にかかる費用を抑えることができる。また、端末３Ｇの使用者は、既存の中継装置２を用いたまま上述した利便性を得ることができる。
【０１１７】
また、接続管理アプリによれば、グループの識別情報に対応する端末情報に対し、この識別情報と端末情報との対応付けを解除することなく、個別に接続制限の設定を行うことができる。このため、グループに属する複数の端末３に対する接続制限の設定を柔軟且つ簡易に行うことができ、利便性を高めることができる。
【０１１８】
また、接続管理アプリによれば、グループの識別情報に対応付けられた端末情報について、この識別情報との対応付けを解除し、別のグループの識別情報に新たに対応付けることができる。このように、一度生成した識別情報を維持したまま、端末３の所属先のグループを変えることができ、端末３のグループ変更に要する作業を簡略化することができる。
例えば、企業等におけるネットワーク管理の観点では、端末の所属グループを変更するために、端末とグループの紐付けを解除する作業、この作業によってこの端末をどこのグループにも属さない状態としてからこの端末を選択する作業、選択した端末を移動先のグループに紐付ける作業が順次必要になる。接続管理アプリによれば、端末とグループの紐付けを解除する作業と、この端末をどこのグループにも属さない状態としてからこの端末を選択する作業を行うことなく、端末をグループに所属させたまま、その端末を別のグループに簡単に移動させることができる。
【０１１９】
家庭内においては、例えば、端末３Ｆを主として利用する利用者を、長男から次男に変更したいといった状況が発生し得る。接続管理アプリによれば、長男のグループと次男のグループは維持したまま、端末３Ｆの端末情報の対応付け先を変更するだけで、上述した状況に対応することができ、利便性を高めることができる。
【０１２０】
また、接続管理アプリによれば、ある識別情報に対し、設定情報が対応付けられた端末情報と、設定情報が対応付けられていない端末情報とが対応付けられている状態にて、この識別情報に対する接続制限の設定の第一の要求が行われた場合には、設定情報が対応付けられていない端末情報に対してのみ、第一の要求に応じた第一の設定情報が対応付けて記憶される。このように、個別に接続制限を行った端末３に対しては設定情報が変更されないことで、グループに属する複数の端末３に対する接続制限の設定を柔軟且つ簡易に行うことができ、利便性を高めることができる。
【０１２１】
以下、接続管理アプリを実行した端末３ＧのＣＰＵ４０の動作の変形例について説明する。
【０１２２】
（第一変形例）
図２８に示すユーザ詳細画面において“接続制限一括設定”ボタンがタッチされると、ＣＰＵ４０は、図２８に示すユーザ詳細画面に、接続制限の設定パターンを選択するための設定画面１４０をオーバーレイ表示させる。そして、例えば、設定画面１４０にて“１８〜２３時禁止”の項目が選択された状態にてＯＫがタッチされると、使用者により指定されている識別情報Ｇ１に対する接続制限の設定の第一の要求がＣＰＵ４０に入力される。
【０１２３】
ＣＰＵ４０では、第一の接続制限設定部４０Ｄが、この第一の要求を受け入れると、識別情報Ｇ１に対応付けられている端末情報Ｔ１〜Ｔ３のうち、既に設定情報が対応付けられている端末情報の有無を判定する。そして、第一の接続制限設定部４０Ｄは、既に設定情報が対応付けられている端末情報があると判定した場合には、既に設定情報が対応付けられている端末情報の存在を報知するための画面１５０を、図２８に示すユーザ詳細画面にオーバーレイ表示させる（図３０参照）。
【０１２４】
画面１５０には、“接続制限が個別に設定された端末があります  この設定を解除してから再度、一括設定を行ってください”といった内容のメッセージが表示されている。
【０１２５】
この第一変形例の動作によれば、個別に接続制限を行った端末３に対し、別の接続制限が誤って設定されてしまうのを防ぐことができる。
【０１２６】
（第二変形例）
上述した画面１５０には、例えば、図３１に示すように、“接続制限が個別に設定された端末があります  このまま設定を続けると個別に設定された端末の接続制限は変更されますがよろしいですか？”といった確認のメッセージを表示させてもよい。
【０１２７】
この場合、メッセージを承知の上で、設定を継続する操作（ＯＫのタッチ操作）が使用者により行われると、第一の要求がＣＰＵ４０に入力される。第一の接続制限設定部４０Ｄは、この第一の要求を受け入れると、識別情報Ｇ１に対応付けられている端末情報Ｔ１〜Ｔ３の各々に対して、設定画面１４０にて選択された項目に応じた接続制限の第一の設定情報Ｌ１を対応付けてＲＯＭ４１に記憶する。これにより、図２７に示す管理情報のうちの第二の設定情報Ｌ３は第一の設定情報Ｌ１に変更されて、図１５に示した管理情報に更新される。
【０１２８】
第二変形例の動作によれば、個別に接続制限を行った端末３に対し、別の接続制限が誤って設定されてしまうのを防ぐことができる。また、個別に接続制限を行った端末３の設定情報を無視して一括にて接続制限を行いたい場合にも対応することができ、利便性を高めることができる。
【０１２９】
（第三変形例）
ここでは、上述した端末のグループ移動動作の変形例を説明する。
【０１３０】
図２２に示す画面において、端末３Ｆの端末情報Ｔ３が表示される領域が使用者によりタッチされて、画面右上の“決定”がタッチされると、端末３Ｆの端末情報Ｔ３に対するグループの変更の要求がＣＰＵ４０に入力される。
【０１３１】
ＣＰＵ４０では、グループ対応付け処理部４０Ｃが、この要求を受け入れると、識別情報Ｇ１と端末情報Ｔ３との対応付けを解除し、端末情報Ｔ３を識別情報Ｇ２に対応付けてＲＯＭ４１に記憶する。更に、グループ対応付け処理部４０Ｃは、識別情報Ｇ２に、端末情報Ｔ３を対応付ける場合に、端末情報Ｔ３に含まれる端末３の名称を、識別情報Ｇ２に基づいて変更する。
【０１３２】
例えば、グループ対応付け処理部４０Ｃは、識別情報Ｇ２（“次男”）に、端末情報Ｔ３を対応付ける場合に、端末情報Ｔ３に含まれる端末３Ｆの名称である“長男のパソコンを、識別情報Ｇ２に基づいて、”次男のパソコン“に変更する。
【０１３３】
このようにしてグループ管理情報が更新されると、ＣＰＵ４０は、更新後のグループ管理情報に基づいて、図２１に示されていたユーザ詳細画面を、図３２に示すユーザ詳細画面に更新する。図３２に示すユーザ詳細画面には、端末３Ｆの端末情報Ｔ３とこれに対応するアイコンが追加表示されている。この端末情報Ｔ３に含まれる名称は上記のように変更されている。このため、図３２に示すユーザ詳細画面においては、グループの名称と、このグループに所属する端末３の名称とのリンクがとれた状態となる。
【０１３４】
このように、グループ変更を行った場合でも、グループ名と端末名との対応がとれていることで、使用者に違和感を生じさせずにすむ。例えば、図２４に示すユーザ詳細画面において、端末３Ｆの端末情報における名称を手動で変更するといった作業を行えば、グループ名と端末名との対応をとることは可能である。第三変形例によれば、この作業をなくすことができ、利便性を向上させることができる。
【０１３５】
（第四変形例）
ここでは、図６に示すような管理情報が生成されている状態を想定する。この状態から、端末情報Ｔ３で特定される端末３Ｆの所属先のグループの変更の要求がなされると、グループ対応付け処理部４０Ｃによって、識別情報Ｇ１と端末情報Ｔ３の対応付けが解除され、識別情報Ｇ２に対して端末情報Ｔ３が対応付けられる。この第四変形例においては、更に、ＣＰＵ４０が、上記の処理によって識別情報Ｇ２に対応付けられた端末情報Ｔ３に対し、識別情報Ｇ２に対応する他の端末情報Ｔ４，Ｔ５に対応付けられている第一の設定情報Ｌ２を自動的に対応付けて記憶する。これにより、図６に示す管理情報は、図３３に示す管理情報へと更新される。
【０１３６】
第四変形例によれば、端末３の所属先が変更された場合でも、この端末３に対する接続制限を自動で設定することができる。同じグループに属する端末３であれば、同じ内容の接続制限を行うことが多いと考えられる。このため、このようにすることで、端末３の所属先を変更する作業と、変更後の端末３に対する接続制限を個別に行う作業とのうち、後者の作業をなくすことができ、利便性を高めることができる。
【０１３７】
（その他の変形例）
ここまで説明してきた接続管理アプリによって生成される管理情報は、接続管理アプリを実行する端末３Ｇに記憶されるものとしたが、これに限らない。例えば、端末３ＧのＣＰＵ４０は、ＲＯＭ４１に記憶した管理情報を、中継装置２に送信して、中継装置２のＲＯＭ２１に記憶させるようにしてもよい。この場合は、接続管理アプリを立ち上げたときに、端末３ＧのＣＰＵ４０は、中継装置２から管理情報を取得してＲＯＭ４１等に記憶する。そして、ＣＰＵ４０は、管理情報に変更を加えた場合には、変更後の管理情報を中継装置２に送信して中継装置２に記憶される管理情報を更新させればよい。
【０１３８】
このように、中継装置２において管理情報が記憶されることで、接続管理アプリを実行する端末３が複数存在する場合（例えば、父と母がそれぞれ端末３を使って接続制限を管理する場合）でも、管理情報を複数の端末３にて容易に共有することができる。
【０１３９】
また、端末３ＧのＣＰＵ４０は、ＲＯＭ４１に記憶した最新の管理情報を、端末３Ｇからネットワーク１を介してアクセス可能な装置に記憶させてもよい。或いは、端末３ＧのＣＰＵ４０は、ＲＯＭ４１に記憶した最新の管理情報を、端末３Ｇと直接に接続可能な移動体通信網を介してアクセス可能な装置に記憶させてもよい。
【０１４０】
この場合は、接続管理アプリを立ち上げたときに、端末３ＧのＣＰＵ４０は、上記の装置から管理情報を取得してＲＯＭ４１等に記憶する。そして、ＣＰＵ４０は、管理情報に変更を加えた場合には、変更後の管理情報を上記装置に送信して、この装置に記憶される管理情報を更新させればよい。
【０１４１】
このように、端末３Ｇからネットワークを介してアクセス可能な装置において管理情報が記憶されることで、接続管理アプリを実行する端末３が複数存在する場合でも、管理情報を複数の端末３にて容易に共有することができる。また、端末３Ｇの使用者が外出中であっても、中継装置２に接続される端末３の接続制限の設定を行うことができる。
【０１４２】
上記の装置としては、サーバが一例として挙げられる。サーバに管理情報を記憶する場合には、接続管理アプリを実行した端末３のＣＰＵ４０は、中継装置２の識別番号をＲＯＭ４１に記憶しておき、上述したようにして生成した管理情報と、その識別番号とを対応付けて、サーバに送信して記憶させる。
【０１４３】
そして、接続管理アプリの起動時には、ＣＰＵ４０は、中継装置２にアクセスし、中継装置２の識別番号を取得する。更に、ＣＰＵ４０は、この起動時又は任意のタイミングにてサーバにアクセスし、上記取得した中継装置２の識別情報に対応した管理情報がサーバにあるか否かをチェックする。
【０１４４】
ここで、中継装置２の識別情報に対応する管理情報がサーバにあった場合には、ＣＰＵ４０は、その管理情報の作成日時又はその管理情報のデータのバージョン（何版目の管理情報か）をチェックし、ＲＯＭ４１に管理情報が存在していなければこれを取得してＲＯＭ４１に記憶する。
【０１４５】
また、ＣＰＵ４０は、ＲＯＭ４１に管理情報が記憶されていた場合でも、その作成日時又はバージョン情報がサーバに記憶された管理情報のものよりも古ければ、サーバからこの管理情報を取得してＲＯＭ４１に記憶する。
【０１４６】
これにより、例えば、端末３Ｇにインストールした接続管理アプリによって生成した管理情報を、端末３Ｇとは別の端末３Ｃにインストールした接続管理アプリによってサーバに取得しに行くことができ、管理情報の共有を容易に行うことができる。
【０１４７】
なお、中継装置２がルータであり、このルータにリピータ（中継装置２の通信可能範囲を拡張するために中継装置２と端末３との間の通信を中継する装置）が存在し、このリピータが中継装置２と同様の接続制限を実行する機能を有する場合には、端末３ＧのＣＰＵ４０は、ルータとリピータのそれぞれに接続管理情報を送信すればよい。
【０１４８】
端末３ＧのＣＰＵ４０は、ＲＯＭ４１接続管理情報が記憶されていればそれを読み出してリピータに送信してもよいし、読み出した接続管理情報の一部の内容を変更したものをリピータに送信してもよい。これにより、設定が容易になるだけでなく、リピータにより拡張された通信可能範囲のみ、異なる接続制限の設定をすることができ、より柔軟な設定が可能になる。
【０１４９】
以上の説明におけるネットワーク１への接続制限は、ネットワーク１に接続できる期間（時間帯又は曜日等）に限らず、ネットワーク１に接続されたサーバ等の接続先を制限するものであってもよい。
【０１５０】
以上説明した接続管理アプリは、プログラムをコンピュータが読取可能な一時的でない（ｎｏｎ−ｔｒａｎｓｉｔｏｒｙ）記憶媒体に記憶される。このような「コンピュータ読取可能な記憶媒体」は、たとえば、ＣＤ−ＲＯＭ（Ｃｏｍｐａｃｔ  Ｄｉｓｃ−ＲＯＭ）等の光学媒体や、ＵＳＢメモリ又はメモリカード等の磁気記憶媒体等を含む。また、このようなプログラムを、インターネットを介したダウンロードによって端末３に提供することもできる。
【０１５１】
以上のように本明細書には以下の事項が開示されている。
【０１５２】
（１）
ネットワークと端末との通信を中継する中継装置が行う前記端末に対する前記ネットワークへの接続制限、を管理するための管理装置であって、
前記端末の利用者単位でのグループの識別情報を生成するグループ識別情報生成部と、
前記中継装置に接続された前記端末の端末情報を取得し、前記管理装置の使用者により指定された前記識別情報と、前記使用者により指定された前記端末情報とを対応付けるグループ対応付け処理部と、
前記使用者により指定された前記識別情報に対する前記接続制限の設定の第一の要求を受け入れると、当該識別情報に対応付けられている前記端末情報に対し、前記接続制限の第一の設定情報を対応付ける第一の接続制限設定部と、
前記第一の設定情報と当該第一の設定情報が対応付けられた前記端末情報を前記中継装置に送信し、当該端末情報で特定される前記端末に対する当該第一の設定情報に基づく前記ネットワークへの接続制限を前記中継装置に実行させる接続制限実行制御部と、を備える管理装置。
【０１５３】
（２）
（１）記載の管理装置であって、
前記使用者により指定された前記端末情報に対する前記接続制限の設定の第二の要求を受け入れると、当該端末情報に対し、前記接続制限の第二の設定情報を対応付ける第二の接続制限設定部を更に備え、
前記接続制限実行制御部は、前記第二の設定情報と当該第二の設定情報が対応付けられた前記端末情報を前記中継装置に送信し、当該端末情報で特定される前記端末に対し、当該第二の設定情報に基づく前記ネットワークへの接続制限を実行させる管理装置。
【０１５４】
（３）
（２）記載の管理装置であって、
前記第二の接続制限設定部は、前記使用者により指定された前記端末情報に前記第一の設定情報が対応付けられている場合には、当該端末情報と当該第一の設定情報との対応付けを解除する管理装置。
【０１５５】
（４）
（２）又は（３）記載の管理装置であって、
前記第一の接続制限設定部は、前記使用者により指定された前記識別情報に対応する前記端末情報のうち、前記第二の設定情報が対応付けられている前記端末情報以外のものに、前記第一の設定情報を対応付ける管理装置。
【０１５６】
（５）
（２）又は（３）記載の管理装置であって、
前記第一の接続制限設定部は、前記使用者により指定された前記識別情報に対応する前記端末情報の中に、前記第二の設定情報が対応付けられている前記端末情報が存在する場合には、当該端末情報の存在を報知する管理装置。
【０１５７】
（６）
（２）から（５）のいずれか１つに記載の管理装置であって、
前記グループ対応付け処理部は、前記グループの前記識別情報が対応付けられている前記端末情報に対する当該グループの変更の要求を受け入れると、当該端末情報と当該識別情報との対応付けを解除し、要求された変更先の前記グループの識別情報に、当該端末情報を対応付ける管理装置。
【０１５８】
（７）
（６）記載の管理装置であって、
前記端末の名称の入力を受け付けて当該端末の端末情報に当該名称の情報を含めて登録する名称登録部を有し、
前記グループ対応付け処理部は、前記変更先の前記グループの前記識別情報に、前記端末情報を対応付ける場合に、当該端末情報に含まれる前記名称を当該識別情報に基づいて変更する管理装置。
【０１５９】
（８）
（２）から（７）のいずれか１つに記載の管理装置であって、
前記識別情報と前記端末情報とを対応付けた情報と、前記端末情報と前記第一の設定情報又は前記第二の設定情報とを対応付けた情報を含む管理情報を記憶する記憶部を更に備える管理装置。
【０１６０】
（９）
（２）から（７）のいずれか１つに記載の管理装置であって、
前記識別情報と前記端末情報とを対応付けた情報と、前記端末情報と前記第一の設定情報又は前記第二の設定情報とを対応付けた情報を含む管理情報を、前記中継装置に記憶させる管理装置。
【０１６１】
（１０）
（２）から（７）のいずれか１つに記載の管理装置であって、
前記識別情報と前記端末情報とを対応付けた情報と、前記端末情報と前記第一の設定情報又は前記第二の設定情報とを対応付けた情報を含む管理情報は、前記管理装置からネットワークを介してアクセス可能な装置に記憶される管理装置。
【０１６２】
（１１）
ネットワークと端末との通信を中継する中継装置が行う前記端末に対する前記ネットワークへの接続制限、を管理するための管理方法であって、
前記端末の利用者単位でのグループの識別情報を生成するグループ識別情報生成ステップと、
前記中継装置に接続された前記端末の端末情報を取得し、前記管理装置の使用者により指定された前記識別情報と、前記使用者により指定された前記端末情報とを対応付けるグループ対応付け処理ステップと、
前記使用者により指定された前記識別情報に対する前記接続制限の設定の第一の要求を受け入れると、当該識別情報に対応付けられている前記端末情報に対し、前記接続制限の第一の設定情報を対応付ける第一の接続制限設定ステップと、
前記第一の設定情報と当該第一の設定情報が対応付けられた前記端末情報を前記中継装置に送信し、当該端末情報で特定される前記端末に対する当該第一の設定情報に基づく前記ネットワークへの接続制限を前記中継装置に実行させる接続制限実行制御ステップと、を備える管理方法。
【０１６３】
（１２）
ネットワークと端末との通信を中継する中継装置が行う前記端末に対する前記ネットワークへの接続制限、を管理するための管理プログラムであって、
前記端末の利用者単位でのグループの識別情報を生成するグループ識別情報生成ステップと、
前記中継装置に接続された前記端末の端末情報を取得し、前記管理装置の使用者により指定された前記識別情報と、前記使用者により指定された前記端末情報とを対応付けるグループ対応付け処理ステップと、
前記使用者により指定された前記識別情報に対する前記接続制限の設定の第一の要求を受け入れると、当該識別情報に対応付けられている前記端末情報に対し、前記接続制限の第一の設定情報を対応付ける第一の接続制限設定ステップと、
前記第一の設定情報と当該第一の設定情報が対応付けられた前記端末情報を前記中継装置に送信し、当該端末情報で特定される前記端末に対する当該第一の設定情報に基づく前記ネットワークへの接続制限を前記中継装置に実行させる接続制限実行制御ステップと、をコンピュータに実行させるための管理プログラム。
【符号の説明】
【０１６４】
１００  ＬＡＮ
１  ネットワーク
２  中継装置
３Ａ〜３Ｇ  端末
２０  ＣＰＵ
２１  ＲＯＭ
２２  ＲＡＭ
２３  第一通信モジュール
２４  第二通信モジュール
４０  ＣＰＵ
４１  ＲＯＭ
４２  ＲＡＭ
４３  通信モジュール
４４  表示部
４５  操作部
４０Ａ  名称登録部
４０Ｂ  グループ識別情報生成部
４０Ｃ  グループ対応付け処理部
４０Ｄ  第一の接続制限設定部
４０Ｅ  第二の接続制限設定部
４０Ｆ  接続制限実行制御部
８０  入力領域
１４０、１５０  設定画面
【図１】
2020053902.tif 000003
【図２】
2020053902.tif 000004
【図３】
2020053902.tif 000005
【図４】
2020053902.tif 000006
【図５】
2020053902.tif 000007
【図６】
2020053902.tif 000008
【図７】
2020053902.tif 000009
【図８】
2020053902.tif 000010
【図９】
2020053902.tif 000011
【図１０】
2020053902.tif 000012
【図１１】
2020053902.tif 000013
【図１２】
2020053902.tif 000014
【図１３】
2020053902.tif 000015
【図１４】
2020053902.tif 000016
【図１５】
2020053902.tif 000017
【図１６】
2020053902.tif 000018
【図１７】
2020053902.tif 000019
【図１８】
2020053902.tif 000020
【図１９】
2020053902.tif 000021
【図２０】
2020053902.tif 000022
【図２１】
2020053902.tif 000023
【図２２】
2020053902.tif 000024
【図２３】
2020053902.tif 000025
【図２４】
2020053902.tif 000026
【図２５】
2020053902.tif 000027
【図２６】
2020053902.tif 000028
【図２７】
2020053902.tif 000029
【図２８】
2020053902.tif 000030
【図２９】
2020053902.tif 000031
【図３０】
2020053902.tif 000032
【図３１】
2020053902.tif 000033
【図３２】
2020053902.tif 000034
【図３３】
2020053902.tif 000035